(57)【要約】【課題】簡単な構成で、精度良く、機械的、電気的な組立状態を検査する圧縮機の検査装置を得ることを目的とする。【解決手段】両端の少なくとも一方が開放した圧縮機容器本体と、この圧縮機容器本体に収納され、冷媒を圧縮する圧縮部と、この圧縮部と軸を介して接続され、当該圧縮部を駆動する電動機と、この電動機のステータのコイル端子接続され、当該ロータの回転により発生する電圧又は電流の値を表示する表示装置と、を備え、前記ロータに前記電動機以外の所定の外部回転力を付与して前記圧縮部と前記電動機との機械的及び電気的な組立状態を検査できるようにしたものである。【選択図】        図１
2004197603.tif 000002
【特許請求の範囲】
【請求項１】
両端の少なくとも一方が開放した圧縮機容器本体と、この圧縮機容器本体に収納され、冷媒を圧縮する圧縮部と、この圧縮部と軸を介して接続され、当該圧縮部を駆動する電動機と、この電動機のステータのコイル端子接続され、当該ロータの回転により発生する電圧又は電流の値を表示する表示装置と、を備え、前記ロータに前記電動機以外の所定の外部回転力を付与して前記圧縮部と前記電動機との機械的及び電気的な組立状態を検査できるようにしたことを特徴とする圧縮機の検査装置。
【請求項２】
空気ポンプが、前記圧縮部の吸入パートに接続され、前記所定の外部回転力を付与することを特徴とする請求項１に記載の圧縮機の検査装置。
【発明の詳細な説明】
【０００１】
【発明の属する技術分野】
本発明は、冷凍装置又は空気調和機等に使用される圧縮機の検査装置に関するものである。
【０００２】
【従来の技術】
従来の空気調和装置等に使用される圧縮機の検査装置は、圧縮機を組立てた後、吐出ポートから所定の圧力に調整した加圧流体を流し込み、この加圧流体によりスクロール圧縮機の揺動スクロールが旋回したか否かを判断し、旋回した時に良、旋回しなかった時に、不良と判断していた（例えば、特許文献１参照）。
【０００３】
【特許文献１】
特開平１１−１８２４５７号公報（第３―４頁、第１図）
【０００４】
【発明が解決しようとする課題】
以上説明したように、従来の圧縮機の検査装置においては、組立品の合否はできるものの、不良品が発生した時に、その不良原因が機械的なものなのか、或いは電気的（電動機の着磁不良等）なものなのかの不良原因を追求できないという問題点があった。
【０００５】
本発明は上記の課題を解決するためになされたもので、簡単な構成で、精度良く、機械的、電気的な組立状態を検査できる圧縮機の検査装置を得ることを目的とする。
【０００６】
【課題を解決するための手段】
この発明に係る圧縮機の検査装置においては、両端の少なくとも一方が開放した圧縮機容器本体と、この圧縮機容器本体に収納され、冷媒を圧縮する圧縮部と、この圧縮部と軸を介して接続され、当該圧縮部を駆動する電動機と、この電動機のステータのコイル端子接続され、当該ロータの回転により発生する電圧又は電流の値を表示する表示装置と、を備え、前記ロータに前記電動機以外の所定の外部回転力を付与して前記圧縮部と前記電動機との機械的及び電気的な組立状態を検査できるようにしたものである。
【０００７】
また、空気ポンプが、前記圧縮部の吸入パートに接続され、前記所定の外部回転力を付与するものである。
【０００８】
【発明の実施の形態】
実施の形態１．
この発明の実施の形態１について図１を用いながら説明する。
なお、この図１は圧縮機の概略断面図であり、この図の１は両端の少なくと一方が開放し、ロータリ圧縮機の各圧縮要素部を収納する筒状の圧縮機容器本体、２はこの容器本体１に収納され、ローリングピストン３ｄ等の圧縮要素部を回転させる電動機、２ａはこの電動機のステータであり、２ｂはこのステータ２ａ内に挿入されて回転するロータ、３はこのロータと軸を介して接続され、冷媒を圧縮する圧縮部であり、この圧縮部３は、図２の如く、シリンダ３ａと、このシリンダ３ａに設けられた吸入ポート３ｂと、前述の軸に接続されたクランクシャフト３ｃと、このクランクシャフト３ｃに接続されたローリングピストン３ｄと、ベーン３ｅとで構成されている。
【０００９】
また、この図の１１は圧縮部３の吸入ポート３ｂに挿入され、空気ポンプからの圧縮空気を圧縮部３へ供給する接続手段としてのカプラ、１２はこのカプラに配管を介して圧縮部３に接続され、圧縮空気を送る空気ポンプである。
また、１３は電動機のステータ２ａのコイル端子に接続され、圧縮部３のクランクシャフト３ｃの回転によりステータ２ａのコイル２ａに発生する電圧又は電流を表示する表示装置である。
【００１０】
次に、この動作について説明する。
まず、空気ポンプ１２が駆動して、空気ポンプ１２から圧縮空気がカプラ１１へ送られると、カプラ１１は圧縮空気を所定の圧力状態にして吸入ポート３ｂから圧縮部３のシリンダ３ａ内へ送るので、圧縮機回転回りの組立上の機械的（摩擦的）トラブルが無ければ、シリンダ３ａ内のベーン３ｅ、ローリングピストン３ｄ、及びクランクシャフト３ｃが回転し、この回転により電動機のロータ２ｂが回転するので、ステータ２ａのコイル２ａに電圧又は電流が発生し、その結果がステータコイル２ａの端子に接続された表示装置１３に表示されるので、電気的にも問題が無いと判断して処理する。
【００１１】
しかし、この時、電動機のロータ２ｂが回転している状態で、表示装置１３に所定の電圧又は電流が表示されない時は、機械的（摩擦的）トラブルは無いものの、電気的問題があると判断して処理する。
【００１２】
また、空気ポンプ１２から圧縮空気がカプラ１１を介して圧縮部３のシリンダ３ａ内へ送られても、ロータ２ｂが回転しない時は、機械的（摩擦的）トラブルがあると判断して処理する。
【００１３】
なお、以上の説明においては、空気ポンプ１２からカプラ１１を介してシリンダ３ａ内へ圧縮空気を送り、圧縮部３を回転駆動させるようにしたが、必ずしも、空気ポンプ１２で回転駆動させ無くて、例えば、ロータ２ｂを手又はハンド式モータ等の他の手段で回転駆動させても良い。
【００１４】
【発明の効果】
以上説明したように、本発明の圧縮機の検査装置においては、両端の少なくとも一方が開放した圧縮機容器本体と、この圧縮機容器本体に収納され、冷媒を圧縮する圧縮部と、この圧縮部と軸を介して接続され、当該圧縮部を駆動する電動機と、この電動機のステータのコイル端子接続され、当該ロータの回転により発生する電圧又は電流の値を表示する表示装置と、を備え、前記ロータに前記電動機以外の所定の外部回転力を付与して前記圧縮部と前記電動機との機械的及び電気的な組立状態を検査できるようにしたので、簡単な構成で、精度良く、機械的、電気的な組立状態を検査する圧縮機の検査装置が得られる。
【００１５】
また、空気ポンプが、前記圧縮部の吸入パートに接続され、前記所定の外部回転力を付与するので、付与回転力（トルク）が一定となるため、更に精度良く、機械的、電気的な組立状態を検査する圧縮機の検査装置が得られる。
【図面の簡単な説明】
【図１】本発明の圧縮機の概略断面図である。
【図２】本発明の圧縮部の詳細断面図である。
【符号の説明】
１  圧縮機容器本体、  ２  電動機、  ２ａ  ステータ、  ２ｂ  ロータ、３  圧縮部  ３ａ  シリンダ、  ３ｂ  吸入ポート、  ３ｃ  クランクシャフト，  ３ｄ  ローリングピストン、  ３ｅ  ベーン、  １１  カプラ、  １２  空気ポンプ、  １３  表示装置。
【図１】
2004197603.tif 000003
【図２】
2004197603.tif 000004